(57)【要約】【課題】剥離紙を控票として利用できる配送伝票を提供する。【課題の解決手段】配送伝票１は、依頼人控票２、配達票兼受領票３、売上票４、貼付票５を分離可能に線糊７で綴じ合わせるとともに、依頼人控票２に記入することで下位の各票３，４，５に同一事項を記入するよう複写構造を設け、貼付票５の裏面には、粘着剤２１を介して、剥離剤層２０を設けた取扱店控票６を剥離可能に接着し、この取扱店控票６は、剥離処理する前段階で控票６として必要な事項を印刷するとともに、複写記入可能に自己発色剤層１９を設けたものである。【選択図】　　図２
2004122420.tif 000002
【特許請求の範囲】
【請求項１】
複数枚の配送票を分離可能に綴じ合わせるとともに、最上位の配送票に記入することで下位の各配送票に同一事項を記入するよう複写構造を設け、最下位の配送票の裏面には、粘着剤を介して剥離処理を施した控票を剥離可能に接着し、この控票は、剥離処理する前段階で控票として必要な事項を印刷するとともに、自己発色剤層を設けてなることを特徴とする配送伝票。
【請求項２】
複数枚の配送票を分離可能に綴じ合わせるとともに、最上位の配送票に記入することで下位の各配送票に同一事項を記入するよう複写構造を設け、最下位の配送票の裏面には部分的に粘着剤を設け、この粘着剤を介して、少なくとも粘着剤と対接する部分に剥離処理を施した控票を剥離可能に接着し、この控票は、剥離処理する前段階で控票として必要な事項を印刷するとともに、自己発色剤層を設けてなることを特徴とする配送伝票。
【請求項３】
控票は二次記入部を有し、この二次記入部には剥離処理を施さない一方、この二次記入部に対接する最下位の配送票の裏面には粘着剤を設けていないことを特徴とする請求項２記載の配送伝票。
【発明の詳細な説明】
【０００１】
【発明の属する技術分野】
本発明は、配送品に貼付して、配送作業の管理を行う配送伝票に関する。
【０００２】
【従来の技術】
従来からこの種配送伝票は多くの構成が知られているが、複数枚の配送票を分離可能に綴じ合わせ、その中の１枚は配送品に貼付するための裏面に粘着剤を設けた貼付票であり、配送伝票が封筒状の場合には、貼付票と綴じ合わせた封筒下紙を備え、貼付票あるいは封筒下紙の粘着剤塗布面を剥離紙で被覆しているのが、一般的である（例えば、特許文献１参照）。
【０００３】
【特許文献１】
実開平５−８６５５７号公報（図１，４）
【０００４】
【発明が解決しようとする課題】
従来においては、剥離紙はシリコンを塗工するなどの剥離処理を施しているので、剥離処理面に複写記入や二次記入をすることができず、粘着剤塗布面を被覆保護する機能を有するだけであり、剥離後は再生処理も困難で、廃棄するほかなかった。そして、この廃棄処理は、資源の無駄使いであり、環境保護に反するという不都合があった。本発明はこの不都合を解消し、剥離紙を控票として使用できる配送伝票を提供することを目的とする。
【０００５】
【課題を解決するための手段】
この目的を達成するため、本発明の請求項１に係る配送伝票は、複数枚の配送票を分離可能に綴じ合わせるとともに、最上位の配送票に記入することで下位の各配送票に同一事項を記入するよう複写構造を設け、最下位の配送票の裏面には、粘着剤を介して剥離処理を施した控票を剥離可能に接着し、この控票は、剥離処理する前段階で控票として必要な事項を印刷するとともに、自己発色剤層を設けてなるものである。
【０００６】
同じく上記目的を達成するために、本発明の請求項２に係る配送伝票は、複数枚の配送票を分離可能に綴じ合わせるとともに、最上位の配送票に記入することで下位の各配送票に同一事項を記入するよう複写構造を設け、最下位の配送票の裏面には部分的に粘着剤を設け、この粘着剤を介して、少なくとも粘着剤と対接する部分に剥離処理を施した控票を剥離可能に接着し、この控票は、剥離処理する前段階で控票として必要な事項を印刷するとともに、自己発色剤層を設けてなるものである。
【０００７】
同じく上記目的を達成するするために、本発明の請求項３に係る配送伝票は、上記請求項２の構成において、控票は二次記入部を有し、この二次記入部には剥離処理を施さない一方、この二次記入部に対接する最下位の配送票の裏面には粘着剤を設けていないことを特徴とするものである。
【０００８】
【発明の実施の形態】
以下、本発明の好適な実施形態を添付図面に基づいて詳細に説明する。ここにおいて、図１〜図３は第１実施形態を示すもので、図１は配送伝票の平面図、図２はそのＡ−Ａ線断面図、図３は剥離紙を兼ねる控票の平面図であり、図４〜図６は第２実施形態を示すもので、図４は配送伝票の平面図、図５はそのＢ−Ｂ線断面図、図６は剥離紙を兼ねる控票の平面図である。
【０００９】
まず、第１実施形態を図１〜図３に基づいて説明する。図１及び図２に示すように、配送伝票１は、上から順に、依頼人控票２，配達票兼受領票３、売上票４、貼付票５、剥離紙を兼ねる控票たる取扱店控票６を重ね合わせてなり、前記依頼人控票２、前記配達票兼受領票３、前記売上票４は、前記貼付票５の表面側に線糊７で互いに分離可能に綴じ合わせている。
【００１０】
図１に示すように、依頼人控票２、配達票兼受領票３、売上票４、貼付票５には、上下に対応する位置に、届け先記入欄８、依頼主記入欄９、備考欄１０、伝票番号記入欄１１、受付年月日記入欄１２を設け（依頼人控票２のみ図示）、最上位にある依頼人控票２の各欄８，９，１０，１１，１２に記入することで、下位の各票３，４，５の対応する各欄に複写記入できるよう公知のカーボン式あるいはノンカーボン式の複写構造を設けている。また、前記依頼人控票２には受付印捺印欄１３を設け、前記配達票兼受領票２には受領印捺印欄（図示せず）を設けている。
【００１１】
図２及び図３に示すように、取扱店控票６の表面には、上述した各欄８，９，１０，１１，１２と上下に対応する位置に、届け先記入欄１４、依頼主記入欄１５、備考欄１６、伝票番号記入欄１７、受付年月日記入欄１８を設け、さらに加圧または加熱によって発色する公知の自己発色剤層１９を設けている。この自己発色剤層１９の上に剥離剤層２０を設け、取扱店控票６は、前記剥離剤層２０を介して、貼付票５の裏面に粘着剤２１によって剥離可能に接着している。
【００１２】
本実施形態は以上のように構成したので、依頼人控票２の届け先記入欄８、依頼主記入欄９、備考欄１０、伝票番号記入欄１１、受付年月日記入欄１２に所定事項を印字記入、あるいは手書き記入することで、下位の各票３，４，５，６の対応する各欄１４，１５，１６，１７，１８（取扱店控票６のみ図示）に同一事項が複写記入される。所定事項を記入した後、依頼人控票２は分離されるとともに、受付印捺印欄１３に取扱店の受付印が捺印され、配送依頼人に手渡される。
【００１３】
次いで、売上票４を分離した後、取扱店控票６を剥離して取扱店で保管する一方、露出した粘着剤層２１によって、貼付票５を配達票兼受領票３とともに配送品（図示せず）に貼付し、配送作業を行うものである。
【００１４】
続いて、図４〜図６に基づいて第２実施形態を説明する。図４及び図５に示すように、配送伝票２１は、上から順に、配達票兼受領票２３、売上票２４、取扱店控票２６、貼付票２５、剥離紙を兼ねる控票たる依頼人控票２２を重ね合わせてなり、前記配達票兼受領票２３、前記売上票２４、取扱店控票２６は、前記貼付票２５の表面側に線糊２７で互いに分離可能に綴じ合わせている。
【００１５】
図４に示すように、配達票兼受領票２３、売上票２４、取扱店控票２６、貼付票２５には、上下に対応する位置に、届け先記入欄２８、依頼主記入欄２９、備考欄３０、伝票番号記入欄３１、受付年月日記入欄３２を設け（配達票兼受領票２３のみ図示）、最上位にある配達票兼受領票２３の各欄２８，２９，３０，３１，３２に記入することで、下位の各票２４，２６，２５の対応する各欄に複写記入できるよう公知のカーボン式あるいはノンカーボン式の複写構造を設けている。また、前記配達票兼受領票２３には、他の各票２４，２６，２５にはない受領印捺印欄３３（図示せず）を設けている。
【００１６】
図５及び図６に示すように、依頼人控票２２の表面には、上述した各欄２８，２９，３０，３１，３２，３３と上下に対応する位置に、届け先記入欄３４、依頼主記入欄３５、備考欄３６、伝票番号記入欄３７、受付年月日記入欄３８、受付印捺印欄３９を設け、さらに加圧または加熱により発色する公知の自己発色剤層４０を前記受付印捺印欄３９を除いた部分に設けている。そして、この自己発色剤層４０の上に剥離剤層４１を設け、依頼人控票２２は、前記剥離剤層４１を介して、貼付票２５の裏面に粘着剤４２によって剥離可能に接着している。
【００１７】
本実施形態は以上のように構成したので、配達票兼受領票２３の届け先記入欄２８、依頼主記入欄２９、備考欄３０、伝票番号記入欄３１、受付年月日記入欄３２に所定事項を印字記入、あるいは手書き記入することで、下位の各票２４，２６，２５，２２の対応する各欄３４，３５，３６，３７，３８（依頼人控票２２のみ図示）に同一事項が複写記入される。ここで、売上票２４と取扱店控票２６を分離し、取扱店控票２６は取扱店で保管する。
【００１８】
次いで、依頼人控票２２を貼付票２５から剥離するとともに、受付印捺印欄３９に取扱店の受付印を捺印して、配送依頼人に手渡す。前記受付印捺印欄３９には剥離剤層４０は設けられていないので、受付印の捺印は明瞭になされる。そして、前記依頼人控票２２を剥離したことで露出した粘着剤層４２によって、貼付票２５を、配達票兼受領票２３とともに配送品に貼付し、配送作業を行うものである。
【００１９】
なお、本発明は、上述した各実施形態に限定されるものではなく、例えば、剥離紙を兼ねる控票としては、取扱店控票６あるいは依頼人控票２２に限らず、他の控票に適用可能である。また、配送票の種類や、構成も適宜変更可能である。さらに、第２実施形態で、剥離剤層４０を設けない部分は受付印捺印欄３９に対応する部分のほか、追加情報記入欄のような適宜な情報を記入する記入欄に対応する部分でもよい。
【００２０】
【発明の効果】
以上説明したところで明らかなように、本願の請求項１に係る発明によれば、剥離紙に上位の配送票から複写記入可能となるので、従来は廃棄処理していた剥離紙を控票として有効活用できるという効果を奏する。
【００２１】
また、本願の請求項２に係る発明によれば、剥離紙に上位の配送票から複写記入可能となるので、従来は廃棄処理していた剥離紙を控票として有効活用できるほか、控票に設けた剥離処理を施していない部分を、追加記入部などに利用できて、さらに用途が拡大するという効果を奏する。
【００２２】
さらに、本願の請求項３に係る発明によれば、上記請求項２に係る発明の効果に加えて、控票に設けた剥離処理を施した部分に二次記入部を設けることにより、二次的な追加記入や捺印が可能になるという効果を奏する。
【図面の簡単な説明】
【図１】第１実施形態を示す配送伝票の平面図。
【図２】同じく図１のＡ−Ａ線断面図。
【図３】同じく剥離紙を兼ねる控票の平面図。
【図４】第２実施形態を示す配送伝票の平面図。
【図５】同じく図４のＢ−Ｂ線断面図。
【図６】同じく剥離紙を兼ねる控票の平面図。
【符号の説明】
１，２１　　　配送伝票
２，２２　　　依頼人控票
３，２３　　　配達票兼受領票
４，２４　　　売上票
５，２５　　　貼付票
６，２６　　　取扱店控票
７，２７　　　線糊
８，１４，２８，３４　　　届け先記入欄
９，１５，２９，３５　　　依頼主記入欄
１０，１６，３０，３６　　　備考欄
１１，１７，３１，３７　　　伝票番号記入欄
１２，１８，３２，３８　　　受付年月日記入欄
１９，４０　　　自己発色剤層
２０，４１　　　剥離剤層
２１，４２　　　粘着剤層
【図１】
2004122420.tif 000003
【図２】
2004122420.tif 000004
【図３】
2004122420.tif 000005
【図４】
2004122420.tif 000006
【図５】
2004122420.tif 000007
【図６】
2004122420.tif 000008